(57)【特許請求の範囲】
【請求項１】
複数の移動通信信号をそれぞれ入力する複数の入力ポート、及びイーサネット信号を入力する入力ポートを含む信号入力部と、
前記入力されたイーサネット信号を複数のＷｉＦｉ信号に変換する信号変換部と、
前記入力された複数の移動通信信号と前記信号変換部を通じて変換された複数のＷｉＦｉ信号をそれぞれ結合する信号結合部と、及び
前記信号結合部を通じて結合された複数の結合信号を複数の出力ポートを通じてそれぞれ出力する信号出力部を含む無線インターネット用デュアルワイファイ装置。
【請求項２】
前記信号変換部は、ＩＥＥＥ８０２．１１gによって単一の入出力を有するＷｉＦｉモジュールを少なくとも２個以上結合して構成されたことを特徴とする請求項１に記載の無線インターネット用デュアルワイファイ装置。
【請求項３】
前記信号変換部は、ＩＥＥＥ８０２．１１ｎによって多重入出力を有するＷｉＦｉモジュールを少なくとも１個以上結合して構成されたことを特徴とする請求項１に記載の無線インターネット用デュアルワイファイ装置。
【請求項４】
前記各移動通信信号は、２Ｇ移動通信信号、３Ｇ移動通信信号、及び４Ｇ移動通信信号のうちで少なくとも一つ以上を含む移動通信信号であることを特徴とする請求項１に記載の無線インターネット用デュアルワイファイ装置。
【請求項５】
前記信号入力部は、光イーサネット信号を入力する入力ポートをさらに含むことを特徴とする請求項１に記載の無線インターネット用デュアルワイファイ装置。
【請求項６】
前記信号入力部は、入力されたイーサネット信号を出力する出力ポートをさらに含むことを特徴とする請求項５に記載の無線インターネット用デュアルワイファイ装置。
【請求項７】
前記信号入力部の移動通信信号入力ポートは２個で構成されて、前記信号出力部の前記出力ポートは２個で構成されて、前記入力ポートと前記出力ポートは物理的にお互いに対向する２個の側面にそれぞれ形成されたことを特徴とする請求項１に記載の無線インターネット用デュアルワイファイ装置。
【請求項８】
移動通信中継器の分配器から出力される複数の移動通信信号をそれぞれ入力する複数の入力ポート、及びイーサネット信号を入力する入力ポートを含む信号入力部と、前記入力されたイーサネット信号を少なくとも多数個のＷｉＦｉ信号に変換する信号変換部と、前記入力された複数の移動通信信号と前記信号変換部を通じて変換された複数のＷｉＦｉ信号をそれぞれ結合する信号結合部と、前記信号結合部を通じて結合された複数の結合信号を多数個の出力ポートを通じてそれぞれ出力する信号出力部を含むデュアルワイファイ装置と、
前記各出力ポートを通じて出力される結合信号を送るために一定長さを有する同軸ケーブルと、及び
前記同軸ケーブルの端に設置されて該当結合信号を放射するアンテナを含む無線インターネット用デュアルワイファイ装置を利用した無線インターネットシステム。
【請求項９】
前記各出力ポートを通じて出力される結合信号を複数の結合信号に分配する分配器をさらに含んで、前記同軸ケーブルは前記複数の結合信号に対応する複数の同軸ケーブルで構成されたことを特徴とする請求項８に記載の無線インターネット用デュアルワイファイ装置を利用した無線インターネットシステム。
【請求項１０】
前記信号変換部は、ＩＥＥＥ８０２．１１gによって単一の入出力を有するＷｉＦｉモジュールを少なくとも２個以上結合して構成されたことを特徴とする請求項８に記載の無線インターネット用デュアルワイファイ装置を利用した無線インターネットシステム。
【請求項１１】
前記信号変換部は、ＩＥＥＥ８０２．１１ｎによって多重入出力を有するＷｉＦｉモジュールを少なくとも１個以上結合して構成されたことを特徴とする請求項８に記載の無線インターネット用デュアルワイファイ装置を利用した無線インターネットシステム。
【請求項１２】
前記各移動通信信号は、２Ｇ移動通信信号、３Ｇ移動通信信号、及び４Ｇ移動通信信号のうちで少なくとも一つ以上を含む移動通信信号であることを特徴とする請求項８に記載の無線インターネット用デュアルワイファイ装置を利用した無線インターネットシステム。
【請求項１３】
前記デュアルワイファイ装置の前記信号入力部は、光イーサネット信号を入力する入力ポートをさらに含むことを特徴とする請求項８に記載の無線インターネット用デュアルワイファイ装置を利用した無線インターネットシステム。
【請求項１４】
前記デュアルワイファイ装置の前記信号入力部は、入力されたイーサネット信号を出力する出力ポートをさらに含むことを特徴とする請求項８に記載の無線インターネット用デュアルワイファイ装置を利用した無線インターネットシステム。
【請求項１５】
前記デュアルワイファイ装置は、前記信号入力部の移動通信信号入力ポートが２個で構成されて、前記信号出力部の前記出力ポートが２個で構成されて、前記入力ポートと前記出力ポートは物理的にお互いに対向する２個の側面にそれぞれ形成されたことを特徴とする請求項８に記載の無線インターネット用デュアルワイファイ装置を利用した無線インターネットシステム。
【発明の詳細な説明】
【技術分野】
【０００１】
本発明は、無線インターネットシステムに関するものであり、より詳細には、移動通信中継システムを利用して設置、維持補修、及び管理などをより効率的にできる無線インターネット用デュアルワイファイ装置及びその装置を利用した無線インターネットシステムに関するものである。
【背景技術】
【０００２】
一般に、無線インターネットサービスには、無線ラン、携帯インターネット(Wibro)、ＥＶ−ＤＯ(Evolution Data Optimized CDMA２０００)などの方式がある。
【０００３】
無線ランは、ワイファイ(ＷｉＦｉ:Wireless Fidelity)またはＷＬＡＮ(WIRELESS ＬＡＮ)と呼ばれて、ＩＥＥＥ８０２．１１x１９９９年標準規格に従うことで、有線のラン(ＬＡＮ)網にＡＰ(Access Point)を連結して、移動端末機やノートブックコンピューターなどがＡＰに無線接続して、インターネットと連結する方式である。
【０００４】
ＩＥＥＥ(Institute of Electrical and Electronic Engineers)８０２標準は、コンピューター通信網の標準化を推進しているＩＥＥＥ８０２委員会によって開発された一連のラン接続方法及びプロトコル標準らを言う。
【０００５】
ＩＥＥＥ８０２標準プロトコルの参照モデルは、ＯＳＩ参照モデルの階層化概念を土台にして、主にＯＳＩ(Open System Interconnection)モデルの７個階層のうちで下位２階層までを標準化する。
【０００６】
無線ランサービスは、ＩＥＥＥ８０２．１１ｂ/ｇ国際標準規格を準用する２．４００ないし２．４８３ＧＨｚのＩＳＭ帯域(非許可帯域)を使っていて、他の通信サービスとの周波数干渉及び低い出力による狭いカバレッジを有する。
【０００７】
それで、２．４ＧＨｚ帯域の無線ランサービスは、室内及び狭いカバレッジのホットスポット(Hotspot)に局地的に使われるが、このような無線ランシステムは、インターネット網と易しく連動することができるし、国際標準によるシステム仕様で生産供給されるので、チープな装置価格、高速データ伝送などの長所によって利用が拡散して、現在はよりさらに高速データ伝送のために、ＩＥＥＥ８０２．１１gの規格及びＩＥＥＥ８０２．１１ｎまで提案された。
【０００８】
また、２．３〜２．５ＧＨｚ帯域を使って、５４Ｍｂｐｓ伝送速度のＩＥＥＥ８０２．１１ａ規格による方式もある。
【０００９】
すなわち、２．４ＧＨｚ帯域の無線ラン方式は、ＩＳＭ帯域を使って高速データ伝送ができるが、一例で、半径数十メートルの狭いカバレッジと周波数干渉によってサービス地域が室内及びホットスポットなどに制限されて、２．３ＧＨｚ帯域無線ラン方式は、携帯インターネットサービスの許可帯域を使用するので、多少周波数干渉がなく、そして、出力制限なしにより広いカバレッジを維持しながら高速データ送る。
【００１０】
このような無線ランは、大型書店、ファーストフード店、コーヒー専門店、空港、大学などでたくさんサービスされている。
【００１１】
最近、スマートフォン使用者の増加で無線ランとしてのＷｉＦｉ設置が増大されているし、これによって多い数のＷｉＦｉ ＡＰの設置が要求されているし、それによるＷｉＦｉの設置及び維持補修便利、構築費用節減などに対する効率性が要求される。
【００１２】
すなわち、既存に設置されているＷｉＦｉは、所望の地域のカバレッジ(Coverage)確保のために複数個を設置した。また、ＷｉＦｉの場合共用周波数の使用で出力が制限されていて、スマートフォン加入者が増加してよりさらに多くのＷｉＦｉを設置することによって維持補修、管理及び設置側面で難しさがある問題点があった。
【発明の概要】
【発明が解決しようとする課題】
【００１３】
本発明は、前述した従来の問題点を解決するためのものであり、その目的は移動通信中継システムを利用してＷｉＦｉ ＡＰの設置、維持補修、及び管理などをより効率的にできる無線インターネット用デュアルワイファイ装置及びその装置を利用した無線インターネットシステムを提供することにある。
【課題を解決するための手段】
【００１４】
前述した目的を達成するために本発明の一側面による無線インターネット用デュアルワイファイ装置は、複数の移動通信信号をそれぞれ入力する複数の入力ポート、及びイーサネット（登録商標）信号を入力する入力ポートを含む信号入力部と、前記入力されたイーサネット信号を複数のＷｉＦｉ信号に変換する信号変換部と、前記入力された複数の移動通信信号と前記信号変換部を通じて変換された複数のＷｉＦｉ信号をそれぞれ結合する信号結合部と、及び前記信号結合部を通じて結合された複数の結合信号を複数の出力ポートを通じてそれぞれ出力する信号出力部を含むことができる。
【００１５】
前記信号変換部は、一例でＩＥＥＥ８０２．１１ｇによって単一の入出力を有するＷｉＦｉモジュールを少なくとも２個以上結合して構成されることができるし、他の例でＩＥＥＥ８０２．１１ｎによって多重入出力を有するＷｉＦｉモジュールを少なくとも１個以上結合して構成されることができる。前記各移動通信信号は、２Ｇ移動通信信号、３Ｇ移動通信信号、及び４Ｇ移動通信信号のうちで少なくとも一つ以上を含む移動通信信号であることができる。
【００１６】
前述した目的を達成するために本発明の他の側面による無線インターネット用デュアルワイファイ装置を利用した無線インターネットシステムは、移動通信中継器の分配器から出力される複数の移動通信信号をそれぞれ入力する複数の入力ポート、及びイーサネット信号を入力する入力ポートを含む信号入力部と、前記入力されたイーサネット信号及び光イーサネット信号を少なくとも多数個のＷｉＦｉ信号に変換する信号変換部と、前記入力された複数の移動通信信号と前記信号変換部を通じて変換された複数のＷｉＦｉ信号をそれぞれ結合する信号結合部と、該信号結合部を通じて結合された複数の結合信号を多数個の出力ポートを通じてそれぞれ出力する信号出力部を含むデュアルワイファイ装置と、前記各出力ポートを通じて出力される結合信号を一定長さ程度延ばして出力するために一定長さを有する同軸ケーブルと、及び前記同軸ケーブルの端に設置されて該当結合信号を放射するアンテナを含むことができるし、前記各出力ポートを通じて出力される結合信号を複数の結合信号に分配する分配器をさらに含んで、前記同軸ケーブルは前記複数の結合信号に対応する複数の同軸ケーブルで構成されることができる。
【００１７】
前記デュアルワイファイ装置の前記信号変換部は、一例でＩＥＥＥ８０２．１１ｇによって単一の入出力を有するＷｉＦｉモジュールを少なくとも２個以上結合して構成されることができるし、他の例でＩＥＥＥ８０２．１１ｎによって多重入出力を有するＷｉＦｉモジュールを少なくとも１個以上結合して構成されることができる。前記移動通信中継器の分配器から出力される各移動通信信号は２Ｇ移動通信信号、３Ｇ移動通信信号、及び４Ｇ移動通信信号のうちで少なくとも一つ以上を含む移動通信信号であることができる。
【発明の効果】
【００１８】
移動通信中継器の場合に事業者が割り当てを受けた周波数で使って出力の制限がないが、ＷｉＦｉのように共用周波数を使用する場合に出力の制限があるために、移動通信中継器出力の分配器次の段に２個の許容される最大出力を有するデュアルワイファイ(Dual ＷｉＦｉ)装置を設置することで、ＷＩＦＩの設置ポイント(Point)を最小化して、また既存設置された移動通信中継システムの同軸ケーブルを活用して、移動通信信号と共にＷＩＦＩ信号を送り出すことでＵＴＰケーブルの設置をお最小化して、結局ＷｉＦｉ ＡＰ(またはＷｉＦｉモジュールと称する)の設置、維持補修、及び管理などをより効率的にできる効果が創出される。
【図面の簡単な説明】
【００１９】
【図１】本発明の実施例による無線インターネット用デュアルワイファイ装置の構成図である。
【図２】図１のデュアルワイファイ装置の外部構造を示す図面である。
【図３】本発明の実施例による無線インターネット用デュアルワイファイ装置を利用した無線インターネットシステムの構成図である。
【図４】本発明の他の実施例による無線インターネット用デュアルワイファイ装置の構成図である。
【図５】本発明のまた他の実施例による無線インターネット用デュアルワイファイ装置の構成図である。
【発明を実施するための形態】
【００２０】
以下、添付図面を参照して本発明の実施例に対して具体的に説明する。各図面の構成要素らに参照符号を付け加えることにおいて、等しい構成要素らに対してはたとえ他の図面上に表示されてもできるだけ等しい符号を有するようにする。また、本発明の実施例に対する説明時に係わる公知構成または機能に対する具体的な説明が本発明の要旨を濁すことがあると判断される場合には、その詳細な説明は略する。
【００２１】
図１は、本発明の実施例による無線インターネット用デュアルワイファイ装置の構成図であり、同図面に示されたところのように、信号入力部１１０、信号変換部１３０、信号結合部１５０、及び信号出力部１７０を含むことができる。
【００２２】
本実施例による信号入力部１１０は、第１移動通信信号を入力する第１入力ポート１１１、第２移動通信信号を入力する第２入力ポート１１２、及びイーサネット(Ethernet)（登録商標）信号を入力する第３入力ポート１１３を含むことができる。本実施例で信号入力部１１０は移動通信信号を入力する入力ポートを２個１１１、１１２で構成したが、これに限定されないで複数の移動通信信号をそれぞれ入力する複数の入力ポートで構成することができる。
【００２３】
本実施例で第１移動通信信号と第２移動通信信号は、一例でお互いに共存する他の世代間の信号として、例えば、第１移動通信信号は２世代(２Ｇ)信号であり、第２移動通信信号は３世代(３Ｇ)または４世代(４Ｇ)信号であることができるし、他の例で第１移動通信信号と第２移動通信信号が移動通信中継器３１０の分配器３３０から分岐されたお互いに等しい信号として同一世代の単一信号(例えば、２Ｇ、３Ｇ、４Ｇのうち一つ)であるか、またはお互いに異なる世代間の結合信号(例えば、２Ｇ＋３Ｇ信号または２Ｇ＋４Ｇ信号など)であることがある。本実施例では説明の便宜のために第１移動通信信号と第２移動通信信号が等しい信号として２Ｇ＋４Ｇ信号であることを一例で説明する。
【００２４】
本実施例による信号変換部１３０は、信号入力部１１０の第３入力ポート１１３を通じて入力されたイーサネット信号を少なくとも２個のＷｉＦｉ信号に変換(例えば、イーサネット信号をＷｉＦｉ信号に変換して少なくとも２個以上に出力)するためのものであり、一例でＩＥＥＥ８０２．１１ｇによって単一の入出力を有するＷｉＦｉモジュール(または、ＡＰモジュールと称する)を２個以上結合して構成するか、または他の例でＩＥＥＥ８０２．１１ｎによって多重入出力を有するＷｉＦｉモジュール１個またはその以上の個数で結合して構成することができる。本実施例で信号変換部１３０は、ＩＥＥＥ８０２．１１ｇによるＷｉＦｉモジュール２個またはＩＥＥＥ８０２．１１ｎによるＷｉＦｉモジュール１個で構成されたものを一例で説明する。
【００２５】
本実施例による信号結合部１５０は、信号入力部１１０を通じて入力された複数の移動通信信号と信号変換部１３０を通じて変換された複数のＷｉＦｉ信号をそれぞれ結合して多数個の結合信号を生成及び出力するためのものであり、一例で、信号入力部１１０の第１入力ポート１１１及び第２入力ポート１１２を通じて入力された第１及び第２移動通信信号と信号変換部１３０を通じて変換された２個のＷｉＦｉ信号をそれぞれ結合して、例えば、２個の２Ｇ＋４Ｇ＋ＷｉＦｉ結合信号を生成するためのものである。
【００２６】
本実施例による信号出力部１７０は、信号結合部１５０を通じて結合されて生成された多数個の結合信号を対応する多数個の出力ポートを通じてそれぞれ出力するためのものであり、例えば、信号出力部１７０は信号結合部１５０を通じて結合されて生成された２個の２Ｇ＋４Ｇ＋ＷｉＦｉ結合信号を対応する２個の第１及び第２出力ポート１７１、１７２を通じてそれぞれ出力することができる。
【００２７】
図２は、図１のデュアルワイファイ装置の外部構造を示す図面であり、図２の(a)は、デュアルワイファイ装置１００の一側面図であり、(b)は平面図、(c)は他の側面図を示す。
【００２８】
図２の(a)を見れば、デュアルワイファイ装置１００の一側面には信号入力部１１０の第１入力ポート１１１、第２入力ポート１１２、及びイーサネット(Ethernet)信号を入力する第３入力ポート１１３が形成されている。本実施例で第３入力ポート１１３は、電源＋イーサネット信号を入力する入力ポート１１３a及びイーサネット信号を入力する入力ポート１１３bを含むことができる。
【００２９】
図２の(c)を見れば、デュアルワイファイ装置１００の他の側面には信号出力部１７０の第１出力ポート１７１及び第２出力ポート１７２が形成されている。
【００３０】
図１及び図２を参照して前述されたデュアルワイファイ装置１００の各構成１１０、１３０、１５０、１７０は、信号入力部１１０→信号変換部１３０→信号結合部１５０→信号出力部１７０の順方向信号処理に対して説明したが、その順方向とは反対の逆方向で信号処理が可能であることは勿論である。例えば、逆方向信号処理時に信号出力部１７０はＷｉＦｉ信号及び移動通信信号のうちで少なくとも一つ以上の信号を入力して、信号結合部１５０は入力された信号がＷｉＦｉ＋移動通信結合信号ならＷｉＦｉ信号と移動通信信号に分離して、信号変換部１３０は分離したＷｉＦｉ信号をイーサネット信号に変換して、信号入力部１１０は変換されたイーサネット信号と分離した移動通信信号をそれぞれ該当ポート１１１、１１２、１１３を通じて出力することができる。
【００３１】
次に、本発明の実施例によるデュアルワイファイ装置１００の動作の一例に対して説明する。
【００３２】
先ず、信号入力部１１０の第１及び第２入力ポート１１１、１１２を通じて、それぞれ第１及び第２の２Ｇ＋４Ｇ移動通信信号が入力されて、第３入力ポート１１３を通じてイーサネット信号が入力されれば、信号変換部１３０は入力されたイーサネット信号をＷｉＦｉ信号に変換して、少なくとも２個の第１及び第２ＷｉＦｉ信号に出力する。
【００３３】
引き継いで、信号結合部１５０は、信号変換部１３０から出力された第１及び第２ＷｉＦｉ信号と信号入力部１１０を通じて入力された第１及び第２の２Ｇ＋４Ｇ移動通信信号をそれぞれ結合して、第１及び第２の２Ｇ＋４Ｇ＋ＷｉＦｉ結合信号を生成して、信号出力部１７０は第１及び第２出力ポート１７１、１７２を通じて第１及び第２の２Ｇ＋４Ｇ＋ＷｉＦｉ結合信号をそれぞれ出力する。
【００３４】
図３は、本発明の実施例による無線インターネット用デュアルワイファイ装置を利用した無線インターネットシステムの構成図であり、移動通信中継器３１０、分配器３３０、デュアルワイファイ装置１００、分配器３５０、同軸ケーブル３７０、及びアンテナ３９０を含むことができる。
【００３５】
本実施例による移動通信中継器３１０は、移動通信網の基地局のような終端装置のカバレッジを拡張するための装置として、既存の移動通信中継器と等しいので具体的な説明は略する。
【００３６】
本実施例による分配器３３０は、移動通信中継器３１０から出力される移動通信信号を複数の移動通信信号に分配するためのものであり、本実施例で分配器３３０は、第１移動通信信号及び第２移動通信信号に分配することを一例で説明する。
【００３７】
本実施例によるデュアルワイファイ装置１００は、図１を参照に説明されたデュアルワイファイ装置１００として、例えば、移動通信中継器３１０の分配器３３０から出力される第１及び第２移動通信信号をそれぞれ入力する第１及び第２入力ポート１１１、１１２、及びＬＡＮのＵＴＰ(Unshielded Twisted Pair)ケーブルを通じてイーサネット信号を入力する第３入力ポート１１３を含む信号入力部１１０と、第３入力ポート１１３を通じて入力されたイーサネット信号を少なくとも２個のＷｉＦｉ信号に変換する信号変換部１３０と、第１及び第２入力ポート１１１、１１２を通じて入力された第１及び第２移動通信信号と信号変換部１３０を通じて変換された２個のＷｉＦｉ信号をそれぞれ結合する信号結合部１５０と、信号結合部１５０を通じて結合された２個の結合信号を２個の第１及び第２出力ポート１７１、１７２を通じて出力する信号出力部１７０を含むことができる。より具体的には前述された図１及び図２の内容を参照する。
【００３８】
本実施例による分配器３５０は、デュアルワイファイ装置１００の信号出力部１７０の第１及び第２出力ポート１７１、１７２を通じて出力された２個の移動通信＋ＷｉＦｉ結合信号をそれぞれ入力する２個の分配器３５１、３５２を含むことができるし、各分配器３５１、３５２は入力された１つの移動通信＋ＷｉＦｉ結合信号を多数個で分配して出力する。
【００３９】
本実施例による同軸ケーブル３７０は、各分配器３５１、３５２を通じて出力された複数の移動通信＋ＷｉＦｉ結合信号をそれぞれ一定距離延ばして送るように一定長さを有する多数個のケーブルを含む。
【００４０】
本実施例によるアンテナ３９０は、各同軸ケーブル３７０の端に設置されて多数個の同軸ケーブル３７０を通じて伝送された多数個の移動通信＋ＷｉＦｉ結合信号を外部に放射する。
【００４１】
他の実施例で、分配器３５０を抜いてデュアルワイファイ装置１００から出力される２個の移動通信＋ＷｉＦｉ結合信号を、各同軸ケーブル３７０を通じて一定距離延ばして各アンテナ３９０を通じて外部に放射することもできる。
【００４２】
図３を参照して前述された無線インターネットシステムの各構成３１０、３３０、１００、３５０、３７０、３９０は、移動通信中継器３１０→分配器３３０→デュアルワイファイ装置１００→分配器３５０→同軸ケーブル３７０→アンテナ３９０の順方向(すなわち、通信システムから端末方向)の信号処理に対して説明したが、その順方向とは反対の逆方向(すなわち、端末から通信システムの方向)に信号処理が可能であることは勿論である。
【００４３】
次に、本発明の実施例による無線インターネット用デュアルワイファイ装置を利用した無線インターネットシステムの動作の一例に対して説明する。
【００４４】
先ず、移動通信中継器３１０から出力される、例えば、２Ｇ＋４Ｇ移動通信信号を分配器３３０で複数の移動通信信号、例えば、第１の２Ｇ＋４Ｇ移動通信信号及び第２の２Ｇ＋４Ｇ移動通信信号に分配して出力する。
【００４５】
引き継いで、デュアルワイファイ装置１００は、分配器３３０から出力された第１及び第２の２Ｇ＋４Ｇ移動通信信号が入力されて、ＬＡＮのＵＴＰケーブルを通じてイーサネット信号が入力されれば、入力されたイーサネット信号を複数のＷｉＦｉ信号、例えば、第１及び第２ＷｉＦｉ信号に変換した後、変換された第１及び第２ＷｉＦｉ信号と入力された第１及び第２の２Ｇ＋４Ｇ移動通信信号をそれぞれ結合して第１及び第２の２Ｇ＋４Ｇ＋ＷｉＦｉ結合信号を生成して出力する。
【００４６】
引き継いで、分配器３５１、３５２は、デュアルワイファイ装置１００から出力された第１及び第２の２Ｇ＋４Ｇ＋ＷｉＦｉ結合信号をそれぞれ複数の２Ｇ＋４Ｇ＋ＷｉＦｉ結合信号に分配して、各２Ｇ＋４Ｇ＋ＷｉＦｉ結合信号は対応する各同軸ケーブル３７０を通じて該当カバレッジ領域まで送った後、対応する各アンテナ３９０を通じて放射される。
【００４７】
図４は、本発明の他の実施例による無線インターネット用デュアルワイファイ装置４００の構成図であり、同図面に示されたところのように、信号入力部４１０、信号変換部４３０、信号結合部４５１、４５２、及び信号出力部４７０を含むことができる。
【００４８】
信号入力部４１０は、２Ｇ/３Ｇ/４Ｇの第１及び第２移動通信信号がそれぞれ入力される第１及び第２入力ポート４１１、４１２、イーサネット信号(Ethernet_１)を入力する第３入力ポート４１３、光ケーブルの接続を通じて光イーサネット信号を入力する第４入力ポート４１４、及びイーサネット信号(Ethernet_２)を出力する出力ポート４１５を含むことができる。信号入力部４１０は、図１の信号入力部１１０と比べて第４入力ポート４１４と出力ポート４１５をさらに具備する。出力ポート４１５は、イーサネット信号出力部としてカスケード連結のために第３入力ポート４１３や第４入力ポート４１４を通じて入力されたイーサネット信号(Ethernet_１)や光イーサネット信号を他の所に伝達するためのものである。本実施例で２Ｇ/３Ｇ/４Ｇは２Ｇ、３Ｇ、及び４Ｇのうち一つ以上が結合された移動通信信号を示す。
【００４９】
信号変換部４３０は、ＩＥＥＥ８０２．１１ｎによって多重入出力を有するＷｉＦｉモジュール(ＷｉＦｉ２x２８０２．１１ｎ)１個で構成されて、図１の信号変換部１３０と同一/類似な機能をする。
【００５０】
信号結合部４５１、４５２は、第１及び第２入力ポート４１１、４１２を通じて入力された２Ｇ/３Ｇ/４Ｇの第１及び第２移動通信信号と信号変換部４３０から出力された２個の２．４ＧＨｚ ＷｉＦｉ信号をそれぞれ結合して、例えば、２個の２Ｇ/３Ｇ/４Ｇ＋ＷｉＦｉ結合信号を生成するためのものであり、例えば、バンドパスフィルター(ＢＰＦ)とダイプレクサ(Diplexer)を含むことができる。
【００５１】
本実施例による信号出力部４７０は、信号結合部４５１、４５２を通じて結合されて生成された２個の２Ｇ/３Ｇ/４Ｇ＋ＷｉＦｉ結合信号をそれぞれ出力する第１及び第２出力ポート４７１、４７２を含む。
【００５２】
図４のデュアルワイファイ装置４００は、図３のデュアルワイファイ装置を利用した無線インターネットシステムで図１のデュアルワイファイ装置１００を抜いて、その装置１００の代わりに使用することができる。
【００５３】
図５は、本発明のまた他の実施例による無線インターネット用デュアルワイファイ装置５００の構成図であり、同図面に示されたところのように、信号入力部５１０、信号変換部５３０、信号結合部５５１、５５２、及び信号出力部５７０を含むことができる。
【００５４】
信号入力部５１０は、２Ｇ/３Ｇ/４Ｇの第１及び第２移動通信信号がそれぞれ入力される第１及び第２入力ポート５１１、５１２、イーサネット信号(Ethernet_１)を入力する第３入力ポート５１３、光ケーブルの接続を通じて光イーサネット信号を入力する第４入力ポート５１４、及びイーサネット信号(Ethernet_２)を出力する出力ポート５１５を含むことができる。信号入力部５１０は、図４の信号入力部４１０と等しい。
【００５５】
信号変換部５３０は、本実施例で単一入出力(ＳＩＳＯ)を使用するＩＥＥＥ８０２．１１ｎのＷｉＦｉモジュール(ＷｉＦｉ１x１８０２．１１ｎ)２個で構成されて、図４の信号変換部４３０と同一/類似機能をする。
【００５６】
信号結合部５５１、５５２は、第１及び第２入力ポート５１１、５１２を通じて入力された２Ｇ/３Ｇ/４Ｇの第１及び第２移動通信信号と信号変換部５３０から出力された２個の２．４ＧＨｚ ＷｉＦｉ信号をそれぞれ結合して、例えば、２個の２Ｇ/３Ｇ/４Ｇ＋ＷｉＦｉ結合信号を生成するためのものであり、例えば、バンドパスフィルター(ＢＰＦ)とダイプレクサ(Diplexer)を含むことができる。信号結合部５５１、５５２は、図４の信号結合部４５１、４５２と等しい。
【００５７】
本実施例による信号出力部５７０は、信号結合部５５１、５５２を通じて結合されて、生成された２個の２Ｇ/３Ｇ/４Ｇ＋ＷｉＦｉ結合信号をそれぞれ出力する第１及び第２出力ポート５７１、５７２を含む。信号出力部５７０は、図４の信号出力部４７０と等しい。
【００５８】
図５のデュアルワイファイ装置５００は、図３のデュアルワイファイ装置を利用した無線インターネットシステムで、図１のデュアルワイファイ装置１００を抜いてその装置１００の代わりに使用することができる。
【００５９】
図１、２、４及び５を見れば、本発明の多様な実施例によるデュアルワイファイ装置１００、４００、５００は、信号入力部１１０、４１０、５１０の入力ポート１１１-１１３、４１１-４１５、５１１-５１５と信号出力部１７０、４７０、５７０の出力ポート１７１-１７２、４７１-４７２、５７１-５７２が物理的にお互いに対向する２個の側面にそれぞれ形成されている。
【００６０】
したがって、図３に示されたところのように従来建物に設置されている分配器３３０(既存の一般的な分配器は、大部分２個に分岐する形態になっている)後に本発明のデュアルワイファイ装置(１００、４００、５００)を付着さえすれば、容易に既存の移動通信網を利用してＷｉＦｉ信号を送ることができる。
【００６１】
このように、本発明は、移動通信中継システムを利用して設置、維持補修、及び管理などをより効率的にできる無線インターネット用デュアルワイファイ装置及びその装置を利用した無線インターネットシステムを提供する。
【００６２】
本発明による無線インターネット用デュアルワイファイ装置を利用した無線インターネットシステムは、移動通信中継器の分配器から出力される複数の移動通信信号をそれぞれ入力する複数の入力ポート、及びイーサネット信号を入力する入力ポートを含む信号入力部と、前記入力されたイーサネット信号を少なくとも多数個のＷｉＦｉ信号に変換する信号変換部と、前記入力された複数の移動通信信号と前記信号変換部を通じて変換された複数のＷｉＦｉ信号をそれぞれ結合する信号結合部と、該信号結合部を通じて結合された複数の結合信号を多数個の出力ポートを通じてそれぞれ出力する信号出力部を含むデュアルワイファイ装置と、前記各出力ポートを通じて出力される結合信号を一定長さ程度延ばして出力する同軸ケーブルと、及び前記同軸ケーブルの端に設置されて該当結合信号を放射するアンテナを含むことができるし、前記各出力ポートを通じて出力される結合信号を複数の結合信号に分配する分配器をさらに含んで、前記同軸ケーブルは前記複数の結合信号に対応する複数の同軸ケーブルで構成されることができる。
【産業上の利用可能性】
【００６３】
以上で説明したところのように本発明によると、移動通信中継器の場合に事業者が割り当てを受けた周波数で使って出力の制限がないが、ＷｉＦｉのように共用周波数を使用する場合に出力の制限があるために、移動通信中継器出力の分配器次の段に２個の許容される最大出力を有するデュアルワイファイ(Dual ＷｉＦｉ)装置を設置することで、ＷＩＦＩの設置ポイント(Point)を最小化して、また既存設置された移動通信中継システムの同軸ケーブルを活用して、移動通信信号と共にＷＩＦＩ信号を送り出すことでＵＴＰケーブルの設置をお最小化して、結局ＷｉＦｉ ＡＰ(またはＷｉＦｉモジュールと称する)の設置、維持補修、及び管理などをより効率的にできる効果が創出される。
【符号の説明】
【００６４】
１００  デュアルワイファイ装置
１１０  信号入力部
１１１  移動通信信号
１１２  移動通信信号
１１３  イーサネット信号
１３０  信号変換部
１５０  信号結合部
１７０  信号出力部
３１０  移動通信中継器
３３０  分配器
３５１  分配器
３５２  分配器
４５１  信号結合部
４５２  信号結合部
５５１  信号結合部
５５２  信号結合部
【図１】
0005290452.tif 000002
【図２】
0005290452.tif 000003
【図３】
0005290452.tif 000004
【図４】
0005290452.tif 000005
【図５】
0005290452.tif 000006